(57)【要約】【課題】正規原稿か複写物かを容易に判別可能な加工を施すことのできる画像処理装置を提供する。【解決手段】原稿を読み取る読取手段（スキャナ部１００）と、該読取手段で読み取られた画像情報に印影画像が含まれているか否かを判定する判定手段（印影画像判定部１０１）と、該判定手段で前記画像情報に印影画像が含まれると判定された場合に、前記印影画像に加工を施す加工手段（印影画像加工処理部１０２）と、該加工手段で加工を施された画像情報に基づいて記録媒体に画像形成を行う画像形成手段（画像形成部１０３）とを備える。【選択図】図１
2011066772.tif 000002
【特許請求の範囲】
【請求項１】
原稿を読み取る読取手段と、
該読取手段で読み取られた画像情報に印影画像が含まれているか否かを判定する判定手段と、
該判定手段で前記画像情報に印影画像が含まれると判定された場合に、前記印影画像に加工を施す加工手段と、
該加工手段で加工を施された画像情報に基づいて記録媒体に画像形成を行う画像形成手段と、
を備えることを特徴とする画像処理装置。
【請求項２】
前記加工手段は、
前記印影画像を識別する識別情報を付加する加工を行うことを特徴とする請求項１に記載の画像処理装置。
【請求項３】
前記加工手段は、
前記印影画像を他の画像に置換する加工を行うことを特徴とする請求項１に記載の画像処理装置。
【請求項４】
前記加工手段は、
前記印影画像の色彩を変更する加工を行うことを特徴とする請求項１に記載の画像処理装置。
【請求項５】
前記加工手段は、
前記印影画像の濃度を変更する加工を行うことを特徴とする請求項１に記載の画像処理装置。
【請求項６】
前記加工手段は、
前記印影画像を回転させる加工を行うことを特徴とする請求項１に記載の画像処理装置。
【請求項７】
前記加工手段は、
前記印影画像の位置を変更する加工を行うことを特徴とする請求項１に記載の画像処理装置。
【請求項８】
前記加工手段は、
前記印影画像を文字情報に置換する加工を行うことを特徴とする請求項１に記載の画像処理装置。
【請求項９】
前記印影画像を保存する保存手段と、
前記印影画像をマスクするマスク手段と、
をさらに備え、
前記画像形成手段は、
前記マスク手段で印影画像をマスクされた画像情報に、前記保存手段に保存されている印影画像を合成して画像形成を行うことを特徴とする請求項１に記載の画像処理装置。
【請求項１０】
前記印影画像の位置情報を格納する格納手段と、
該格納手段に格納されている前記位置情報に基づいて前記印影画像を検索する検索手段と、
をさらに備えることを特徴とする請求項１に記載の画像処理装置。
【請求項１１】
原稿を読み取る読取過程と、
読み取られた画像情報に印影画像が含まれる場合に、当該印影画像に加工を施す加工過程と、
加工を施された画像情報に基づいて記録媒体に画像形成を行う画像形成過程と、
を演算手段に実行させることを特徴とする処理プログラム。
【発明の詳細な説明】
【技術分野】
【０００１】
本発明は、画像処理装置および処理プログラムに関するものである。
【背景技術】
【０００２】
画像処理装置の一種としての複写機には、原稿をスキャナで読み取った画像情報を印刷して出力する際に、特定の印影画像を付加して印刷用紙に印刷する所謂スタンプ機能を備えるものがある。
【０００３】
スタンプ機能は、例えば、画像情報を印刷するときに、画像情報の内容に応じて「重要」、「極秘」、「社外秘」などの特定のスタンプ画像（印影）を印刷するものである。
【０００４】
一般的なスタンプ機能は、例えば、読み取った画像情報に対して、所望のスタンプ画像を合成して印刷出力している。
【０００５】
このようなスタンプ機能に関する技術は種々提案されている。
【０００６】
例えば、特開２００８−１１３０３号公報には、原稿内の特定画像を認識したときに所定の印影を画像情報に付加する技術が開示されている。
【先行技術文献】
【特許文献】
【０００７】
【特許文献１】特開２００８−１１３０３号公報
【発明の概要】
【発明が解決しようとする課題】
【０００８】
本発明は、正規原稿か複写物かを容易に判別可能な加工を施すことのできる画像処理装置及び処理プログラムを提供することを目的とする。
【課題を解決するための手段】
【０００９】
前記課題を解決するため、請求項１の発明に係る画像処理装置は、原稿を読み取る読取手段と、該読取手段で読み取られた画像情報に印影画像が含まれているか否かを判定する判定手段と、該判定手段で前記画像情報に印影画像が含まれると判定された場合に、前記印影画像に加工を施す加工手段と、該加工手段で加工を施された画像情報に基づいて記録媒体に画像形成を行う画像形成手段とを備えることを特徴とする。
【００１０】
請求項２の発明に係る画像処理装置は、請求項１に記載の発明について、前記加工手段は、前記印影画像を識別する識別情報を付加する加工を行うことを特徴とする。
【００１１】
請求項３の発明に係る画像処理装置は、請求項１に記載の発明について、前記加工手段は、前記印影画像を他の画像に置換する加工を行うことを特徴とする。
【００１２】
請求項４の発明に係る画像処理装置は、請求項１に記載の発明について、前記加工手段は、前記印影画像の色彩を変更する加工を行うことを特徴とする。
【００１３】
請求項５の発明に係る画像処理装置は、請求項１に記載の発明について、前記加工手段は、前記印影画像の濃度を変更する加工を行うことを特徴とする。
【００１４】
請求項６の発明に係る画像処理装置は、請求項１に記載の発明について、前記加工手段は、前記印影画像を回転させる加工を行うことを特徴とする。
【００１５】
請求項７の発明に係る画像処理装置は、請求項１に記載の発明について、前記加工手段は、前記印影画像の位置を変更する加工を行うことを特徴とする。
【００１６】
請求項８の発明に係る画像処理装置は、請求項１に記載の発明について、前記加工手段は、前記印影画像を文字情報に置換する加工を行うことを特徴とする。
【００１７】
請求項９の発明に係る画像処理装置は、請求項１に記載の発明について、前記印影画像を保存する保存手段と、前記印影画像をマスクするマスク手段とをさらに備え、前記画像形成手段は、前記マスク手段で印影画像をマスクされた画像情報に、前記保存手段に保存されている印影画像を合成して画像形成を行うことを特徴とする。
【００１８】
請求項１０の発明に係る画像処理装置は、請求項１に記載の発明について、前記印影画像の位置情報を格納する格納手段と、該格納手段に格納されている前記位置情報に基づいて前記印影画像を検索する検索手段とをさらに備えることを特徴とする。
【００１９】
請求項１１の発明に係る処理プログラムは、原稿を読み取る読取過程と、読み取られた画像情報に印影画像が含まれる場合に、当該印影画像に加工を施す加工過程と、加工を施された画像情報に基づいて記録媒体に画像形成を行う画像形成過程とを演算手段に実行させることを特徴とする。
【発明の効果】
【００２０】
本発明によれば以下の効果を奏することができる。
【００２１】
すなわち、請求項１に記載の発明によれば、印影画像に加工を施して正規原稿か複写物かを容易に判別可能な画像処理装置を提供することができる。
【００２２】
請求項２に記載の発明によれば、印影画像を識別する識別情報を付加して正規原稿か複写物かを容易に判別可能な画像処理装置を提供することができる。
【００２３】
請求項３に記載の発明によれば、印影画像を他の画像に置換して正規原稿か複写物かを容易に判別可能な画像処理装置を提供することができる。
【００２４】
請求項４に記載の発明によれば、印影画像の色彩を変更して正規原稿か複写物かを容易に判別可能な画像処理装置を提供することができる。
【００２５】
請求項５に記載の発明によれば、印影画像の濃度を変更して正規原稿か複写物かを容易に判別可能な画像処理装置を提供することができる。
【００２６】
請求項６に記載の発明によれば、印影画像を回転させて正規原稿か複写物かを容易に判別可能な画像処理装置を提供することができる。
【００２７】
請求項７に記載の発明によれば、印影画像の位置を変更して正規原稿か複写物かを容易に判別可能な画像処理装置を提供することができる。
【００２８】
請求項８に記載の発明によれば、印影画像を文字情報に置換して正規原稿か複写物かを容易に判別可能な画像処理装置を提供することができる。
【００２９】
請求項９に記載の発明によれば、正規原稿か複写物かをより容易に判別可能な画像処理装置を提供することができる。
【００３０】
請求項１０に記載の発明によれば、印影画像をより速く検索することができる画像処理装置を提供することができる。
【００３１】
請求項１１に記載の発明によれば、印影画像に加工を施して正規原稿か複写物かを容易に判別可能な処理プログラムを提供することができる。
【図面の簡単な説明】
【００３２】
【図１】実施の形態に係る画像処理装置ＣＰ１の構成を示す機能ブロック図である。
【図２】実施の形態に係る画像処理装置ＣＰ１の概略構成とデータの流れを示すブロック図である。
【図３】原稿画像と複写画像の例を示す説明図である。
【図４】印影管理情報の例を示す表である。
【図５】印影画像置換処理の処理手順を示すフローチャートである。
【図６】印影画像マスク処理の処理手順を示すフローチャートである。
【図７】原稿画像とスキャン画像の例を示す説明図である。
【図８】印影画像合成処理の処理手順を示すフローチャートである。
【発明を実施するための形態】
【００３３】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３４】
図１から図８を参照して、本発明についての実施の形態に係る画像処理装置ＣＰ１について説明する。
【００３５】
なお、本実施の形態では、画像処理装置ＣＰ１は、複写機（コピー機）であるものとする。但し、これには限定されず、コピー機能を備える複合機やファクシミリ装置等であってもよい。
【００３６】
図１に示すように、画像処理装置ＣＰ１は、各種書類を含む原稿を光学的に読み取るスキャナ部１００（読取手段の一例）と、スキャナ部１００で読み取られた画像情報に印影画像（スタンプ、承認印等の画像）が含まれているか否かを判定する印影画像判定部１０１（判定手段の一例）と、印影画像判定部１０１で画像情報に印影画像が含まれると判定された場合に、印影画像に後述する何れかの加工を施す印影画像加工処理部１０２（加工手段の一例）と、印影画像加工処理部１０２で加工を施された画像情報に基づいてコピー用紙（記録媒体の一例）に画像形成（印刷処理）を行う画像形成部１０３（画像形成手段の一例）と、印影画像を保存するハードディスク装置や不揮発性メモリ等で構成される印影画像保存部１０４（保存手段の一例）と、印影画像をマスクする印影画像マスク処理部１０７（マスク手段の一例）と、印影画像の位置情報を格納するハードディスク装置や不揮発性メモリ等で構成される印影画像位置情報格納部１０５（格納手段の一例）と、印影画像位置情報格納部１０５と、印影画像位置情報格納部１０５に格納されている位置情報に基づいて画像情報内の印影画像を検索する印影画像検索部１０６（検索手段の一例）とを備える。
【００３７】
なお、図１に示す構成例では、印影画像加工処理部１０２内に印影画像マスク処理部１０７を設けているが、この構成に限らず、印影画像加工処理部１０２と印影画像マスク処理部１０７を別部材としてもよい。
【００３８】
また、画像処理装置ＣＰ１は、図１に示す構成部材に加えて、図２に示すように、印影画像を生成する印影画像生成部１２１、生成された印影画像を合成して画像情報（画像データ）を作成する印影画像合成部１２２、マスク済みの画像データの編集等を行うデータ編集部１２３等を備える。
【００３９】
なお、図２は、各種データの大まかな流れも示している。
【００４０】
ここで、図１に示す印影画像加工処理部１０２は、印影画像を識別する識別情報（例えば、所定の文字、図形、線画等）を付加する加工処理、印影画像を他の画像（例えば、周囲の背景と近似した画像など）に置換する加工処理、印影画像の色彩を変更（例えば、朱色から青色、黒色等の識別し易い色などに変更）する加工処理、印影画像の濃度を変更（例えば、ドットや線を減らして掠れた状態に変更する場合を含む）する加工処理、印影画像を回転（例えば、オリジナルの印影画像と容易に識別できる程度の角度で回転させる）させる加工処理、印影画像の位置（例えば、オリジナルの印影画像と容易に識別できる程度の距離を移動させる）を変更する加工処理、印影画像を文字情報に置換（例えば、「印影はカットしました」等のメッセージなどに置換）する加工処理の何れかを実行する。
【００４１】
これにより、正規原稿（オリジナル原稿）か複写物かが容易に判別され、利便性が向上される。
【００４２】
図３に、印影画像の加工例を示す。
【００４３】
図３では、原稿（オリジナル）（イ）の印影画像Ｇ１を複写画像（ロ）においてＧ２〜Ｇ４に加工した例（ａ）〜（ｃ）を示す。
【００４４】
（ａ）印影画像Ｇ２では、印影画像Ｇ１に「コピーです」との文字列を付加する加工を行った。
【００４５】
（ｂ）印影画像Ｇ３では、印影画像Ｇ１を３０°程度回転させる加工を行った。
【００４６】
（ｃ）印影画像Ｇ４では、印影画像Ｇ１を「印影はカットしました」とのメッセージに置換した。
【００４７】
図４には、印影画像をどのように加工するかについての印影管理情報の例を示す。
【００４８】
図４に示す例では、スタンプＡ、Ｂについて、印影画像のデータ形式（ラスタデータ、ベクタデータ）、加工方法（ドット加工、線のかすれ等）、位置と向きに関する情報が格納されている。
【００４９】
次に、図５のフローチャートを参照して、上記構成の画像処理装置ＣＰ１で実行される印影画像置換処理の処理手順について説明する。
【００５０】
スキャナ１０では、スキャナ部１００で原稿の読み取りを行って画像情報を取得してステップＳ１１に移行する。
【００５１】
ステップＳ１１では、図４に示すような印影管理情報に登録された印影画像を検索してステップＳ１２に移行する。
【００５２】
ステップＳ１２では、印影画像があるか否かが判定され、「Ｎｏ」の場合には処理を終了し、「Ｙｅｓ」の場合にはステップＳ１３に移行する。
【００５３】
ステップＳ１３では、複写用の印影情報を印影管理情報に登録された加工方法から生成してステップＳ１４に移行する。
【００５４】
ステップＳ１４では、原稿内の印影画像を生成した印影画像に置換して処理を終了する。
【００５５】
これにより、正規原稿（オリジナル原稿）か複写物かが容易に判別され、利便性が向上される。
【００５６】
次に、図６のフローチャートを参照して、画像処理装置ＣＰ１で実行される印影画像マスク処理の処理手順について説明する。
【００５７】
まず、ステップＳ２０では、スキャナ部１００で原稿の読み取りを行って画像情報を取得してステップＳ２１に移行する。
【００５８】
ステップＳ２１では、図４に示すような印影管理情報に登録された印影画像を検索してステップＳ２２に移行する。
【００５９】
ステップＳ２２では、印影画像があるか否かが判定され、「Ｎｏ」の場合には処理を終了し、「Ｙｅｓ」の場合にはステップＳ２３に移行する。
【００６０】
ステップＳ２３では、印影画像毎に付与される識別情報の一種としてのスタンプＩＤと原稿内の印影付加情報を印影画像保存部１０４に記録（図７の（ハ）参照）してステップＳ２４に移行する。
【００６１】
ステップＳ２４では、原稿内の印影画像を余白または地肌色で置き換えてマスクした原稿画像をスキャン画像として（図７の（ニ）参照）、処理を終了する。
【００６２】
これにより、正規原稿（オリジナル原稿）か複写物かが容易に判別され、利便性が向上される。
【００６３】
なお、スキャン画像を印刷する際に、印影画像が必要な場合には、印影画像保存部１０４に記録されているスタンプＩＤと原稿内の印影付加情報に基づいて、印影画像合成部１２２によって原稿画像に印影画像を合成して印刷出力するようにしてもよい。
【００６４】
ここで、図８のフローチャートを参照して、印影画像合成処理の処理手順の一例について説明する。
【００６５】
ステップＳ３０では、登録された印影画像を検索し、ステップＳ３１で印影画像を検出したか否かが判定される。
【００６６】
「Ｎｏ」の場合には、通常のスキャンデータを生成して処理を終了する。
【００６７】
「Ｙｅｓ」の場合には、ステップＳ３２に移行して、印影部分を抽出してステップＳ３３に移行する。
【００６８】
ステップＳ３３では、印影画像の属性情報を取り出してステップＳ３４に移行する。
【００６９】
ステップＳ３４では、原稿画像の印影画像をマスクしてステップＳ３５に移行する。
【００７０】
そして、スキャン画像を印刷する際に、印影画像が必要な場合には、マスクした画像情報と印影の属性情報を合成したスキャンデータを生成して処理を終了する。
【００７１】
その他に、次のような実施態様が考えられる。
【００７２】
登録済み印影が捺印された原稿の複写を行うと、複写画像における印影には複写された旨の情報が隠し情報として合成された印影が捺印されるようにしてもよい。
【００７３】
この場合において、原稿内から印影情報を検索し、登録済みの印影との照合し、登録済み印影情報に複写情報に応じた隠し情報を付与する構成とするとよい。
【００７４】
動作例としては、例えば、既に印影Ａ〜Ｚが登録されている状態において、登録済みの印影Ｂを有する原稿を複写する際に、原稿読み取り後の画像から登録済み印影Ａ〜Ｚの照合を行い、印影Ｂが照合された場合には、複写を行った画像処理装置ＣＰ１のＩＤや日付、ユーザＩＤなどの複写情報を元に印影Ｂに対する隠し情報を付与した印影Ｂ’を生成し、印影Ｂに置き換えて画像を合成して複写を行う。
【００７５】
画像情報中の印影が既に印影Ｂを元にした隠し情報を持つＢ’’であっても、印影Ｂとして認識するようにしてもよい。
【００７６】
また、登録済み印影が捺印された原稿のスキャンを行うと、スキャン画像内の印影は削除され余白ないし地肌に置換され、付加情報が許されるスキャン画像データのフォーマットであれば、検出したスタンプの情報が付加されるようにしてもよい。
【００７７】
この場合において、原稿内から印影情報を検索し、登録済みの印影とを照合し、登録済み印影情報をスキャンデータの付加情報として付与する構成とするとよい。
【００７８】
動作例としては、例えば、既に印影Ａ〜Ｚが登録されている状態において、登録済みの印影Ｂをもつ原稿をスキャンする際に、原稿読み取り後の画像から登録済み印影Ａ〜Ｚの照合を行い、印影Ｂが照合された場合には、印影Ｂの領域を余白または地肌に置換する。
【００７９】
また、印影Ｂが照合された旨をスキャン画像の付加情報としてもよい。
【００８０】
また、上記例と同様に、印影が既に印影Ｂを元にした隠し情報を持つＢ’’であっても、印影Ｂとして認識するようにしてもよい。
【００８１】
この例では、生成されたスキャン画像を元に本画像装置で印刷を行った場合に、印影Ｂ’’’が合成されて出力される。
【００８２】
また、印影情報が画像情報において、あるべき位置情報を予め登録することにより、画像情報内の印影照合を効率よく行うようにしてもよい。
【００８３】
この場合において、印影情報とそれらが原稿内のあるべき位置を登録し、登録済みの印影の位置情報を元に原稿内から印影情報を検索、照合する構成とするとよい。
【００８４】
動作例としては、例えば、印影Ａのイメージ及び各原稿サイズに対し、どの様な位置に印影があるか（例えばＡ０原稿の縦送り時、画像左上隅を基点とし、横に７００ｍｍ、縦に１０００ｍｍに印影の左上隅がある）を予め登録し、Ａ０原稿を読み込み時は、指定領域のみを照合するようにしてもよい。
【００８５】
その他に、原稿サイズ、向きごとに位置情報を持つ場合、印影情報ごとに位置情報を持つ場合、照合は多少のマージンをもって行う場合であってもよい。
【００８６】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００８７】
また、プログラムを用いる場合には、ネットワークを介して提供し、或いはＣＤ−ＲＯＭ等の記録媒体に格納して提供することが可能である。
【００８８】
即ち、画像処理プログラムを含む所定のプログラムを記録媒体としてのハードディスク等の記憶装置に記録する場合に限らず、当該所定のプログラムを次のようにして提供することも可能である。
【００８９】
例えば、所定のプログラムをＲＯＭに格納しておき、ＣＰＵが、この所定のプログラムをこのＲＯＭから主記憶装置へローディングして実行するようにしてもよい。
【００９０】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【００９１】
さらには、画像形成装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【００９２】
本発明による画像処理装置および処理プログラムは、複写機、スキャナ装置を備えるプリンタや複合機等に適用することができる。
【符号の説明】
【００９３】
ＣＰ１  画像処理装置
１００  スキャナ部
１０１  印影画像判定部
１０２  印影画像加工処理部
１０３  画像形成部
１０４  印影画像保存部
１０５  印影画像位置情報格納部
１０６  印影画像検索部
１０７  印影画像マスク処理部
１２１  印影画像生成部
１２２  印影画像合成部
１２３  データ編集部
【図１】
2011066772.tif 000003
【図２】
2011066772.tif 000004
【図３】
2011066772.tif 000005
【図４】
2011066772.tif 000006
【図５】
2011066772.tif 000007
【図６】
2011066772.tif 000008
【図７】
2011066772.tif 000009
【図８】
2011066772.tif 000010